(57)【要約】【課題】加入者のスケジュールに合わせて、携帯端末のネットワークサービスを設定する。【解決手段】スケジューリング制御装置１は、加入者のスケジュールであって、時刻、当該時刻における加入者の予定位置情報および当該時刻における加入者の携帯端末２のネットワークサービスの設定情報を関連づけたスケジューリング制御データ２１ａを記憶するスケジューリング制御データ記憶部２１と、スケジューリング制御データ２１ａに含まれる時刻になると、加入者の携帯端末２の位置情報を取得するとともに、スケジューリング制御データ２１ａの当該時刻における予定位置情報を取得し、携帯端末２の位置情報および予定位置情報が一致する場合、当該時刻に関連づけられたネットワークサービスの設定情報に従って、加入者情報管理装置５２に設定リクエストを送信するスケジューリング制御手段２２と、を備える。【選択図】      図１
2015092712.tif 000002
【特許請求の範囲】
【請求項１】
加入者情報管理装置と、前記加入者情報管理装置によって管理され、加入者が利用する携帯端末と、前記加入者情報管理装置および前記携帯端末に接続されるスケジューリング制御装置と、を備えるスケジューリング制御システムに用いられるスケジューリング制御装置であって、
加入者のスケジュールであって、時刻、当該時刻における前記加入者の予定位置情報および当該時刻における前記加入者の携帯端末のネットワークサービスの設定情報を関連づけたスケジューリング制御データを記憶するスケジューリング制御データ記憶部と、
前記スケジューリング制御データに含まれる前記時刻になると、前記加入者の携帯端末の位置情報を取得するとともに、前記スケジューリング制御データの当該時刻における前記予定位置情報を取得し、前記携帯端末の位置情報および前記予定位置情報が一致する場合、当該時刻に関連づけられた前記ネットワークサービスの設定情報に従って、前記加入者情報管理装置に設定リクエストを送信するスケジューリング制御手段
を備えることを特徴とするスケジューリング制御装置。
【請求項２】
加入者情報管理装置と、前記加入者情報管理装置によって管理され、加入者が利用する携帯端末と、前記加入者情報管理装置および前記携帯端末に接続されるスケジューリング制御装置と、を備えるスケジューリング制御システムのスケジューリング制御装置に用いられるスケジューリング制御プログラムであって、
コンピュータを、
加入者のスケジュールであって、時刻、当該時刻における前記加入者の予定位置情報および当該時刻における前記加入者の携帯端末のネットワークサービスの設定情報を関連づけたスケジューリング制御データに含まれる前記時刻になると、前記加入者の携帯端末の位置情報を取得するとともに、前記スケジューリング制御データの当該時刻における前記予定位置情報を取得し、前記携帯端末の位置情報および前記予定位置情報が一致する場合、当該時刻に関連づけられた前記ネットワークサービスの設定情報に従って、前記加入者情報管理装置に設定リクエストを送信するスケジューリング制御手段
として機能させることを特徴とするスケジューリング制御プログラム。
【発明の詳細な説明】
【技術分野】
【０００１】
本発明は、加入者情報管理装置と携帯端末とスケジューリング制御装置とを備えるスケジューリング制御システムに用いられるスケジューリング制御装置およびスケジューリング制御プログラムに関する。
【背景技術】
【０００２】
一般的に携帯電話機などの携帯端末の普及に伴い、携帯端末の使用におけるマナーが問題になる場合がある。例えば、電車の中ではマナーモード、劇場や映画館ではサイレントモードなど、その時々に応じて、携帯端末に求められる設定が異なる。
【０００３】
このような状況に伴い、携帯端末の受信モードを、カレンダ機能に基づいて適宜切り替える方法がある（例えば、特許文献１参照。）。この特許文献１において、受信モードスケジュールが設定されると、この設定に従って、サーバが携帯端末への呼び出しをコントロールする方法も開示されている。
【０００４】
また監視者および被監視者の携帯電話端末を用いて被監視者の所在位置の監視する方法も知られている（例えば、特許文献２参照。）。特許文献２に記載の方法では、被監視者の携帯端末に、被監視者の所在地を測位する指示を送信するとともに測位結果を受信する。特許文献２に記載の方法ではさらに、予め被監視者の外出先の位置情報と比較して、合致しない場合、異常アラームを出力する。
【先行技術文献】
【特許文献】
【０００５】
【特許文献１】特開２００４−１６５８９９号公報
【特許文献２】特開２０１０−８１３３８号公報
【発明の概要】
【発明が解決しようとする課題】
【０００６】
しかしながら、特許文献１に記載の方法では、マナーモードなどの設定を通話サーバで制御せず、携帯電話機においてのみ設定可能なシステムの場合、適用することはできない。また、携帯電話機をマナーモードやサイレントモードにするに伴い、ユーザは、転送電話や留守番電話などのネットワークサービスの設定をすることはできない。
【０００７】
従って本発明の目的は、加入者のスケジュールに合わせて、携帯端末のネットワークサービスを設定するスケジューリング制御装置およびスケジューリング制御プログラムを提供することである。
【課題を解決するための手段】
【０００８】
上記課題を解決するために、本発明の第１の特徴は、加入者情報管理装置と、加入者情報管理装置によって管理され、加入者が利用する携帯端末と、加入者情報管理装置および携帯端末に接続されるスケジューリング制御装置と、を備えるスケジューリング制御システムに用いられるスケジューリング制御装置に関する。すなわち本発明の第１の特徴に係るスケジューリング制御装置は、加入者のスケジュールであって、時刻、当該時刻における加入者の予定位置情報および当該時刻における加入者の携帯端末のネットワークサービスの設定情報を関連づけたスケジューリング制御データを記憶するスケジューリング制御データ記憶部と、スケジューリング制御データに含まれる時刻になると、加入者の携帯端末の位置情報を取得するとともに、スケジューリング制御データの当該時刻における予定位置情報を取得し、携帯端末の位置情報および予定位置情報が一致する場合、当該時刻に関連づけられたネットワークサービスの設定情報に従って、加入者情報管理装置に設定リクエストを送信するスケジューリング制御手段を備える。
【０００９】
ここで、加入者のデフォルトのネットワークサービスの設定情報を含むデフォルトデータが記憶されたデフォルトデータ記憶部をさらに備えても良い。この場合、スケジューリング制御手段は、携帯端末の位置情報および予定位置情報が一致しない場合、当該デフォルトのネットワークサービスの設定情報に従って、加入者情報管理装置に設定リクエストを送信する。
【００１０】
また、スケジューリング制御データにはさらに、時刻および当該時刻における加入者の予定位置情報に、当該加入者の携帯端末の設定情報が関連づけられていても良い。この場合、スケジューリング制御手段は、スケジューリング制御データの当該時刻における予定位置情報を取得し、携帯端末の位置情報および予定位置情報が一致する場合、当該時刻に関連づけられた携帯端末の設定情報に従って、携帯端末に設定リクエストを送信する。
【００１１】
加入者のデフォルトの携帯端末の設定情報を含むデフォルトデータが記憶されたデフォルトデータ記憶部をさらに備えても良い。この場合、スケジューリング制御手段は、携帯端末の位置情報および予定位置情報が一致しない場合、当該デフォルトの携帯端末の設定情報に従って、携帯端末に設定リクエストを送信する。
【００１２】
携帯端末の設定情報が、加入者の携帯端末の電源オフの場合、スケジューリング制御手段は、スケジューリング制御データの加入者のスケジュールを検索して、当該時刻以降の直近の時刻であって、電源オンの携帯端末の設定情報に関連づけられた時刻を抽出し、携帯端末の設定リクエストに、抽出した時刻に電源をオンにする設定情報を含めて、携帯端末に送信しても良い。
【００１３】
本発明の第２の特徴は、加入者情報管理装置と、加入者情報管理装置によって管理され、加入者が利用する携帯端末と、加入者情報管理装置および携帯端末に接続されるスケジューリング制御装置と、を備えるスケジューリング制御システムのスケジューリング制御装置に用いられるスケジューリング制御プログラムに関する。すなわち本発明の第２の特徴に係るスケジューリング制御プログラムは、コンピュータを、加入者のスケジュールであって、時刻、当該時刻における加入者の予定位置情報および当該時刻における加入者の携帯端末のネットワークサービスの設定情報を関連づけたスケジューリング制御データに含まれる時刻になると、加入者の携帯端末の位置情報を取得するとともに、スケジューリング制御データの当該時刻における予定位置情報を取得し、携帯端末の位置情報および予定位置情報が一致する場合、当該時刻に関連づけられたネットワークサービスの設定情報に従って、加入者情報管理装置に設定リクエストを送信するスケジューリング制御手段として機能させる。
【００１４】
スケジューリング制御手段は、携帯端末の位置情報および予定位置情報が一致しない場合、デフォルトのネットワークサービスの設定情報に従って、加入者情報管理装置に設定リクエストを送信しても良い。
【００１５】
スケジューリング制御データにはさらに、時刻および当該時刻における加入者の予定位置情報に、当該加入者の携帯端末の設定情報が関連づけられていても良い。この場合、スケジューリング制御手段は、スケジューリング制御データの当該時刻における予定位置情報を取得し、携帯端末の位置情報および予定位置情報が一致する場合、当該時刻に関連づけられた携帯端末の設定情報に従って、携帯端末に設定リクエストを送信する。
【００１６】
スケジューリング制御手段は、携帯端末の位置情報および予定位置情報が一致しない場合、デフォルトの携帯端末の設定情報に従って、携帯端末に設定リクエストを送信しても良い。
【００１７】
携帯端末の設定情報が、加入者の携帯端末の電源オフの場合、スケジューリング制御手段は、スケジューリング制御データの加入者のスケジュールを検索して、当該時刻以降の直近の時刻であって、電源オンの携帯端末の設定情報に関連づけられた時刻を抽出し、携帯端末の設定リクエストに、抽出した時刻に電源をオンにする設定情報を含めて、携帯端末に送信してもよい。
【発明の効果】
【００１８】
本発明によれば、加入者のスケジュールに合わせて、携帯端末のネットワークサービスを設定するスケジューリング制御装置およびスケジューリング制御プログラムを提供することができる。
【図面の簡単な説明】
【００１９】
【図１】本発明の実施の形態に係るスケジューリング制御システムのシステム構成を説明する図である。
【図２】本発明の実施の形態において、加入者が設定するスケジュールの一例を説明する図である。
【図３】本発明の実施の形態に係るスケジューリング制御装置のハードウェア構成を説明する図である。
【図４】本発明の実施の形態に係るスケジューリング制御装置の機能ブロックを説明する図である。
【図５】本発明の実施の形態に係るスケジューリング制御データのデータ構造とデータの一例を説明する図である。
【図６】本発明の実施の形態に係るネットワークサービスの設定情報の例を説明する図である。
【図７】本発明の実施の形態に係る携帯端末の設定情報の例を説明する図である。
【図８】本発明の実施の形態に係るデフォルトデータのデータ構造とデータの一例を説明する図である。
【図９】本発明の実施の形態に係るスケジューリング制御手段によるスケジューリング制御処理を説明するフローチャートである。
【図１０】本発明の実施の形態に係る位置情報取得手段による位置情報取得処理を説明するフローチャートである。
【図１１】本発明の実施の形態に係るスケジューリング設定手段によるスケジューリング設定処理を説明するフローチャートである。
【図１２】本発明の実施の形態に係るデフォルト設定手段によるデフォルト設定処理を説明するフローチャートである。
【発明を実施するための形態】
【００２０】
次に、図面を参照して、本発明の実施の形態を説明する。以下の図面の記載において、同一または類似の部分には同一または類似の符号を付している。
【００２１】
（スケジューリング制御システム）
図１を参照して、実施の形態に係るスケジューリング制御システム５を説明する。実施の形態に係るスケジューリング制御システム５は、スケジューリング制御装置１、携帯端末２、ユーザ端末３、無線通信システム４９、通信制御装置５１、加入者情報管理装置５２、位置情報提供装置５３、通信ネットワーク６０およびスケジュール管理装置６１を備える。無線通信システム４９、通信制御装置５１、加入者情報管理装置５２および位置情報提供装置５３は互いに連携して、加入者の携帯端末２にサービスを提供する。通信制御装置５１が、加入者の携帯端末２からの呼毎のサービス要求を受信すると、加入者情報管理装置５２に設定された情報を参照して、設定内容に応じた呼処理を実現する。
【００２２】
図１に示す例では、第１の携帯端末２ａおよび第２の携帯端末２ｂの２つの携帯端末を備える場合を説明するが、携帯端末の数はこれ以上でも良い。また、本実施の形態において、第１の携帯端末２ａおよび第２の携帯端末２ｂを区別する必要のない場合は、単に携帯端末２と記載する場合がある。同様に、図１に示すユーザ端末、各装置などの数は、これに限らない。
【００２３】
スケジューリング制御装置１、通信制御装置５１、加入者情報管理装置５２および位置情報提供装置５３は、ＬＡＮなどの通信ネットワーク５０により相互に通信可能に接続される。通信制御装置５１は、無線通信システム４９を介して、相互に通信可能に携帯電話端末２に接続される。無線通信システム４９は、インターネットなどの通信ネットワーク６０を介して、ユーザ端末３およびスケジュール管理装置６１に相互に通信可能に接続される。
【００２４】
無線通信システム４９は、３ＧＰＰ（Third Generation Partnership Project）において、ＲＡＮ（Radio Access Networks）と規定されるシステムである。ここで３ＧＰＰは、第三世代以降の移動体通信システムの仕様を策定するものである。
【００２５】
スケジューリング制御装置１は、一般的なコンピュータであって、図４などを参照して、後に詳述する。携帯端末２は、加入者情報管理装置５２によって管理され、加入者が利用する３ＧＰＰに対応する一般的な携帯電話機である。本実施の形態に係るスケジューリング制御方法を適用するために、所定の処理を実行するアプリケーションがインストールされ実行されても良い。ユーザ端末３は、加入者によって使用される一般的なコンピュータである。
【００２６】
通信制御装置５１は、３ＧＰＰにおいて、ＭＳＣ（Mobile Switching Center）、ＳＧＳＮ（Serving GPRS Support Node）、ＣＳＣＦ（Call Session Control Function）などの機能を提供する。ＭＳＣとは、移動通信交換局であって、自局の制御範囲内にどのような端末が所在するかを認識するとともに、通話パスの設定時に加入者情報をＨＬＲから抽出するなどの機能を提供する。ＳＧＳＮは、携帯電話網のパケット網を構成するパケット交換機である。ＣＳＣＦは、呼処理のセッション管理を行う。
【００２７】
加入者情報管理装置５２は、３ＧＰＰにおいてＨＬＲ（Home Location Register ）、ＨＳＳ（Home Subscriber Server）、ｇｓｍＳＣＦ（GSM Service Control Function）などの機能を提供する。ＨＬＲとは、携帯電話番号や端末識別番号などのユーザ情報を管理するデータベースである。携帯電話の位置情報が登録されると、このＨＬＲの情報も更新される。ＨＳＳとは、呼を実際に扱うＩＭＳネットワーク実体をサポートするデータベースである。ｇｓｍＳＣＦとは、例えば留守番電話のようなサービスの起動や停止を制御する機能である。
【００２８】
ここで本発明の実施の形態に係る加入者情報管理装置５２は、加入者の携帯端末２の位置情報を提供するとともに、加入者の携帯端末２に提供するネットワークサービスの条件を保持する。ここでネットワークサービスとは、携帯電話２の呼び出し音のカスタマイズ、マルチモード、転送電話サービス、留守番電話サービス、コールウェイティング、２契約１端末サービス、複数電話サービスである。
【００２９】
位置情報提供装置５３は、３ＧＰＰにおいて、ＧＭＬＣ（Gateway Mobile Location Center）などの機能を提供する。ＧＭＬＣは、端末の位置の情報を取得する。
【００３０】
スケジュール管理装置６１は、例えばポータルサイトのサーバであって、加入者のスケジュールを保持するサービスである。加入者は、携帯端末２やユーザ端末３からスケジュール管理装置６１に接続し、スケジュール管理装置６１に自己の予定を入力することができる。
【００３１】
スケジューリング制御装置１は、携帯端末２やユーザ端末３から入力された加入者のスケジュールや、スケジュール管理装置６１から取得した加入者のスケジュールに従って、加入者の携帯端末２のネットワークサービスの設定や、携帯端末２の設定などを適宜変更する。
【００３２】
図２を参照して、本発明の実施の形態において、加入者が入力するスケジュールの一例を説明する。加入者が入力するスケジュールは、加入者自身が、いつ、どこで、何をするかを示すスケジュールと、そのときの携帯端末２に関する設定情報と、が対応づけられたデータである。図２に示す携帯端末表示画面Ｐ１０１は、加入者が入力したスケジュールの一例を表示した画面である。携帯端末表示画面Ｐ１０１では、加入者自身のスケジュールを含むスケジュール設定部Ｐ１０２およびその時々の携帯端末２の設定を含む端末設定部Ｐ１０３と、を備える。
【００３３】
スケジュール設定部Ｐ１０２では、加入者のスケジュールの、時刻およびその位置情報と、が対応づけられている。図２で示す例では、「８時から１２時まで」、打ち合わせで「大手町」に滞在する予定と、「１５時から１８時まで」、デスク作業で「品川」に滞在する予定と、「１８時から２１時まで」、飲み会で「品川」に滞在する予定と、が設定されている。図２で示す例では、公私の予定を区別して表示しているが、この表示の仕方は問わない。
【００３４】
端末設定部Ｐ１０３では、加入者が入力したスケジュールに対応して、その時々の携帯端末２に関する設定が対応づけられている。例えば、加入者の「打ち合わせ」のスケジュールに対応して、携帯端末２の設定は、「マナーモード、留守番電話ＯＮ」となっている。また、加入者の「デスク作業」のスケジュールに対応して、携帯端末２の設定は、「留守番電話ＯＦＦ」となっている。図２に示す例では、加入者のスケジュールに一致するように、携帯端末２の設定が対応づけられているが、これに限られない。例えば、加入者のスケジュールの開始時刻の５分前から設定を開始したり、加入者のスケジュールの終了時刻の１０分後まで設定を継続するなど、適宜変更可能である。
【００３５】
（スケジューリング制御装置）
図３に示すように、本発明の最良の実施の形態に係るスケジューリング制御装置１は、中央処理制御装置１０１、ＲＯＭ（Read Only Memory）１０２、ＲＡＭ（Random Access Memory）１０３および入出力インタフェース１０９が、バス１１０を介して接続されている。入出力インタフェース１０９には、入力装置１０４、表示装置１０５、通信制御装置１０６、記憶装置１０７およびリムーバブルディスク１０８が接続されている。
【００３６】
中央処理制御装置１０１は、入力装置１０４からの入力信号に基づいてＲＯＭ１０２からスケジューリング制御装置１を起動するためのブートプログラムを読み出して実行し、さらに記憶装置１０７に記憶されたオペレーティングシステムを読み出す。さらに中央処理制御装置１０１は、入力装置１０４や通信制御装置１０６などの入力信号に基づいて、各種装置の制御を行ったり、ＲＡＭ１０３や記憶装置１０７などに記憶されたプログラムおよびデータを読み出してＲＡＭ１０３にロードするとともに、ＲＡＭ１０３から読み出されたプログラムのコマンドに基づいて、データの計算または加工など、後述する一連の処理を実現する処理装置である。
【００３７】
入力装置１０４は、操作者が各種の操作を入力するキーボード、マウスなどの入力デバイスにより構成されており、操作者の操作に基づいて入力信号を作成し、入出力インタフェース１０９およびバス１１０を介して中央処理制御装置１０１に送信される。表示装置１０５は、ＣＲＴ（Cathode Ray Tube）ディスプレイや液晶ディスプレイなどであり、中央処理制御装置１０１からバス１１０および入出力インタフェース１０９を介して表示装置１０５において表示させる出力信号を受信し、例えば中央処理制御装置１０１の処理結果などを表示する装置である。通信制御装置１０６は、ＬＡＮカードやモデムなどの装置であり、スケジューリング制御装置１をインターネットやＬＡＮなどの通信ネットワークに接続する装置である。通信制御装置１０６を介して通信ネットワークと送受信したデータは入力信号または出力信号として、入出力インタフェース１０９およびバス１１０を介して中央処理制御装置１０１に送受信される。
【００３８】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９およびバス１１０を介して中央処理制御装置１０１に送受信される。
【００３９】
本発明の最良の実施の形態に係るスケジューリング制御装置１の記憶装置１０７には、スケジューリング制御プログラムが記憶されるとともに、記憶装置１０７は、スケジューリング制御データ記憶部２１およびデフォルトデータ記憶部２２を備える。また、スケジューリング制御プログラムがスケジューリング制御装置１の中央処理制御装置１０１に読み込まれ実行されることによって、スケジューリング取得手段１１およびスケジューリング制御手段１２がスケジューリング制御装置１に実装される。
【００４０】
スケジューリング制御データ記憶部２１は、記憶装置１０７のうち、スケジューリング制御データ２１ａが記憶された記憶領域である。スケジューリング制御データ２１ａは、加入者のスケジュールであって、時刻、当該時刻における加入者の予定位置情報、時刻における加入者の携帯端末のネットワークサービスの設定情報および加入者の携帯端末の設定情報を関連づけたデータである。スケジューリング制御データ２１ａは、図２に示して説明した加入者のスケジュールを、テーブル形式に変換したものである。スケジューリング制御データ２１ａには、複数の加入者のスケジュールが含まれても良い。
【００４１】
スケジューリング制御データ２１ａは、図５に示すように、加入者ＩＤ、スケジュールＩＤ、時刻、予定位置、ネットワークサービス設定および端末設定を対応づけたデータである。加入者ＩＤは、本発明の実施の形態に係るスケジューリング制御を利用する加入者の識別子であって、例えば携帯電話番号である。スケジュールＩＤは、各加入者ＩＤが設定するスケジュールの識別子である。
【００４２】
ここで図５において、加入者ＩＤ、スケジュールＩＤ、時刻、予定位置、ネットワークサービス設定および端末設定を１つのテーブルで対応づけた場合を説明するが、この例に限られない。例えば、スケジュールＩＤ、時刻、予定位置、ネットワークサービス設定および端末設定を対応づけたテーブルが、加入者ＩＤごとに設けられても良い。このほか、テーブルの構成例として、様々な方法が考えられる。
【００４３】
図５の時刻は、そのスケジュールの開始時刻である。さらに終了時刻のカラムが含まれても良い。予定位置は、そのスケジュールのとき時間帯に加入者がいる場所である。例えば、打ち合わせのスケジュールの場合、予定位置はその打ち合わせ場所となる。さらに、この予定位置には、その位置を検出するための精度が含まれる。例えば、予定位置が「虎ノ門駅（１００ｍ精度）」の場合、加入者の携帯端末２の位置が、虎ノ門駅から１００メートル以内であれば、加入者が予定位置にいると判断される。図５に示す時刻および予定位置は、例えば図２に示す携帯端末表示画面Ｐ１０１のスケジュール設定部Ｐ１０２の設定に基づいて登録される。
【００４４】
図５のネットワークサービス設定および端末設定は、当該スケジュールのときの携帯端末２の設定である。
【００４５】
このネットワークサービスの設定情報は、加入者情報管理装置５２において制御される携帯端末２の設定情報である。図６に示すように、本発明の実施の形態において、このネットワークサービスの設定情報は、留守番電話、コールウェイティングなどのネットワークサービスと、これらの各サービスの状態と、を対応づけたデータである。サービスの状態は、ネットワークサービスの種別によって異なる。例えば、留守番電話サービスでは、ＯＮかＯＦＦかのフラグである。ＯＮの場合は、呼び出し秒数も設定される。２契約１端末サービスでは、Ａ番号を活性するか、Ｂ番号を活性するか、を示すフラグである。
【００４６】
携帯端末の設定情報は、マナーモード、サイレントモードなど、携帯端末２において制御される設定情報である。図７に示すように、本発明の実施の形態において、この携帯端末の設定情報は、電源、マナーモードなどの各携帯端末２の機能と、各機能の状態と、を対応づけたデータである。ここで機能の状態は、その機能のＯＮまたはＯＦＦのいずれかである。
【００４７】
デフォルトデータ記憶部２２は、記憶装置１０７のうち、デフォルトデータ２２ａが記憶された記憶領域である。デフォルトデータ２２ａは、加入者のデフォルトのネットワークサービスの設定情報および携帯端末の設定情報を含むデータである。デフォルトデータ２２ａは、図８に示すように、加入者ＩＤに、ネットワークサービスの設定情報および端末の設定情報が対応づけられている。ネットワークサービスの設定情報は、図６を参照して説明した通り、ネットワークサービスとサービスの状態と、を対応づけたデータである。携帯端末２の設定情報は、図７を参照して説明した通り、携帯端末２の機能と各機能の状態と、を対応づけたデータである。
【００４８】
スケジューリング取得手段１１は、加入者の携帯端末２、ユーザ端末３、スケジュール管理装置６１などから、加入者のスケジュールデータを取得し、スケジューリング制御データ記憶部２１に記憶する。スケジューリング取得手段１１は、例えば、図２に示すような画面を、携帯端末２またはユーザ端末３に表示して、加入者にスケジュール、予定位置、ネットワークサービスの設定情報および携帯端末２の設定情報の設定情報を入力させる。スケジューリング取得手段１１は、これらのデータを関連づけたレコードを、スケジューリング制御データ記憶部２１に記憶する。また、スケジューリング管理装置６１から、スケジュール、予定位置、ネットワークサービスの設定情報および携帯端末２の設定情報の設定情報を関連づけたレコードを取得して、スケジューリング制御データ記憶部２１に記憶しても良い。
【００４９】
ここで、スケジューリング取得手段１１は、加入者の新たなスケジュールを受信した際、スケジューリング制御データ２１ａの整合性をチェックしても良い。例えば、システムの使用上、転送電話サービスと留守番電話サービスを同時に提供できない場合、スケジューリング取得手段１１は、その旨を加入者に通知し、修正を促しても良い。また、スケジューリング取得手段１１は、スケジューリング制御データ２１ａについて、加入者情報管理装置５２に、加入者が申し込み済みのサービスであるか否か、加入者がそのサービスを設定可能であるか否かを問い合わせ、申し込みされていないサービスについては、その旨を加入者に通知しても良い。
【００５０】
スケジューリング制御手段１２は、スケジューリング制御データ２１ａに含まれる時刻になると、加入者の携帯端末の位置情報を取得するとともに、スケジューリング制御データ２１ａのこの時刻における予定位置情報を取得する。スケジューリング制御手段１２は、携帯端末２の位置情報および予定位置情報が一致するか否かを判定し、加入者ＩＤと、この加入者に対するネットワークサービスの設定情報を加入者情報管理装置５２に送信するとともに、携帯端末の設定情報を、携帯端末２に送信する。
【００５１】
ここで、携帯端末２の位置情報と予定位置情報が一致するか否かは、携帯端末２の位置情報が、予定位置情報の位置から、スケジューリング制御データ２１ａの精度の範囲内であるか否かに基づいて判断される。携帯端末２の位置情報が、予定位置情報の位置から、精度の範囲内である場合、スケジューリング制御手段１２は、携帯端末２の位置情報と予定位置情報が一致すると判定する。一方、携帯端末２の位置情報が、予定位置情報の位置から、精度の範囲外である場合、スケジューリング制御手段１２は、携帯端末２の位置情報と予定位置情報が一致しないと判定する。
【００５２】
携帯端末２の位置情報および予定位置情報が一致する場合、スケジューリング制御手段１２は、この時刻に関連づけられたネットワークサービスの設定情報に従って、加入者情報管理装置５２に設定リクエストを送信する。さらにスケジューリング制御手段１２は、この時刻に関連づけられた携帯端末の設定情報に従って、携帯端末２に設定リクエストを送信する。
【００５３】
ここで、スケジューリング制御データ２１ａにおいて、予定位置情報が登録されていない場合、携帯端末２の位置情報を取得することなく、スケジューリング制御手段１２は、この時刻に関連づけられたネットワークサービスの設定情報に従って、加入者情報管理装置５２に設定リクエストを送信する。さらにスケジューリング制御手段１２は、この時刻に関連づけられた携帯端末２の設定情報に従って、携帯端末２に設定リクエストを送信する。
【００５４】
一方、携帯端末の位置情報および予定位置情報が一致しない場合、スケジューリング制御手段１２は、デフォルトデータ２２ａを読み出し、デフォルトのネットワークサービスの設定情報に従って、加入者情報管理装置５２に設定リクエストを送信する。さらにスケジューリング制御手段１２は、デフォルトの携帯端末の設定情報に従って、携帯端末２に設定リクエストを送信する。
【００５５】
加入者情報管理装置５２は、スケジューリング制御装置１から、加入者ＩＤと、この加入者に対するネットワークサービスの設定情報を受信すると、加入者情報管理装置５２の加入者のネットワークサービスの設定情報を更新し、更新された設定情報に従って、携帯電話２にサービスを提供する。また携帯端末２は、スケジューリング制御装置１から、携帯端末の設定情報を受信すると、携帯端末２の設定情報を更新し、更新された設定情報に従って、携帯電話２を稼働する。
【００５６】
スケジューリング制御手段１２は、携帯端末２の設定情報が、加入者の携帯端末の電源オフの場合、スケジューリング制御手段１２は、スケジューリング制御データ２１ａの加入者のスケジュールを検索して、この時刻以降の直近の時刻であって、電源オンの携帯端末の設定情報に関連づけられた時刻を抽出する。さらにスケジューリング制御データ２１ａは、携帯端末２の設定リクエストに、抽出した時刻に電源をオンにする設定情報を含めて、携帯端末２に送信する。この時刻以降の直近の時刻に、電源オンの携帯端末の設定情報が見つからない場合、スケジューリング制御手段１２は、電源オフの携帯端末の設定情報のみを、携帯端末２に送信する。この場合、加入者の操作により携帯端末２の電源がオンされると、携帯端末２はスケジューリング制御装置１と通信し、携帯端末の設定情報を受信することができる。
【００５７】
ここで、スケジューリング制御手段１２は、位置情報取得手段１３、スケジューリング設定手段１４およびデフォルト設定手段１５を備える。位置情報取得手段１３、スケジューリング設定手段１４およびデフォルト設定手段１５は、スケジューリング手段１２のサブルーチンである。
【００５８】
位置情報取得手段１３は、加入者ＩＤが入力されると、その加入者の携帯端末２の位置情報を取得する。ここで位置情報取得手段１３は、加入者情報管理装置５２、位置情報提供装置５３などに加入者ＩＤを入力し、その加入者ＩＤの携帯端末２の位置情報を取得する。位置情報取得手段１３は、スケジューリング制御データ２１ａで設定される位置情報の精度によって、位置情報を取得する方法を使い分けても良い。
【００５９】
スケジューリング設定手段１４は、加入者ＩＤが入力されると、その加入者ＩＤに関連するスケジューリング制御データ２１ａに従って、ネットワークサービスおよび携帯端末の機能を設定する。スケジューリング設定手段１４は、スケジューリング制御データ２１ａを読み出し、ネットワークサービスの設定情報に従って、加入者情報管理装置５２に設定リクエストを送信するとともに、携帯端末の設定情報に従って、加入者の携帯端末２に設定リクエストを送信する。
【００６０】
デフォルト設定手段１５は、加入者ＩＤが入力されると、その加入者ＩＤに関連するデフォルトデータ２２ａに従って、ネットワークサービスおよびその加入者の携帯端末２の機能を設定する。デフォルト設定手段１５は、デフォルトデータ２２ａを読み出し、ネットワークサービスの設定情報に従って、加入者情報管理装置５２に設定リクエストを送信するとともに、携帯端末の設定情報に従って、加入者の携帯端末２に設定リクエストを送信する。
【００６１】
図９を参照して、スケジューリング制御手段１２によるスケジューリング制御処理を説明する。まずステップＳ１においてスケジューリング制御手段１２は、スケジューリング制御データ２１ａで指定された時刻になるのを待機する。その時刻になるとステップＳ２においてスケジューリング制御手段１２は、そのレコードにおいて、予定位置が設定されているか否かを判定する。予定位置が設定されていない場合、ステップＳ６に進み、スケジューリング制御手段１２は、スケジューリング設定手段１４によるスケジューリング設定処理を実行する。
【００６２】
一方、予定位置が設定されている場合、ステップＳ３において、スケジューリング制御手段１２は、位置情報取得手段１３による位置情報取得処理を実行し、加入者の携帯端末２の位置情報を取得する。さらに、ステップＳ４においてスケジューリング制御手段１２は、スケジューリング制御データ２１ａから、この時刻の加入者の携帯端末２の予定位置の情報を取得する。ステップＳ５においてスケジューリング制御手段１２は、ステップＳ３で取得した携帯端末２の位置情報が、ステップＳ４において取得した予定位置の範囲内であるか判定する。範囲内である場合、ステップＳ６に進み、スケジューリング制御手段１２は、スケジューリング設定手段１４によるスケジューリング設定処理を実行する。一方、範囲外の場合、ステップＳ７に進み、スケジューリング制御手段１２は、デフォルト設定手段１５によるデフォルト設定処理を実行する。
【００６３】
図１０を参照して、位置情報取得手段１３による位置情報取得処理を説明する。この位置情報取得処理は、図９のステップＳ３に対応する。位置情報取得手段１３が加入者の携帯端末２の位置情報を取得する処理の具体例は、いくつか考えられる。
【００６４】
まず図１０（ａ）を参照して、加入者の携帯端末２の位置情報として、加入者情報管理装置５２に登録される携帯端末２の位置情報を用いる場合を説明する。ステップＳ１０１において位置情報取得手段１３は、加入者情報管理装置５２に、加入者ＩＤを含む位置情報要求を送信する。加入者情報管理装置５２は、データベースを検索して加入者ＩＤに対応する位置情報を取得する。ステップＳ１０２において加入者情報管理装置５２は、携帯端末２の現在位置として取得した位置情報を含む位置情報応答を、位置情報取得手段１３に送信する。
【００６５】
図１０（ｂ）を参照して、加入者の携帯端末２の位置情報として、無線制御システム４９で保持する位置情報を用いる場合を説明する。ステップＳ１２１において位置情報取得手段１３は、位置情報提供装置５３に、加入者ＩＤを含む位置情報要求を送信する。ステップＳ１２２において位置情報提供装置５３は、通信制御装置５１に、その位置情報要求を送信し、ステップＳ１２３において通信制御装置５１は、無線制御システム４９にその位置情報要求を送信する。
【００６６】
無線制御システム４９は、加入者ＩＤと接続する無線基地局の情報を取得して、加入者ＩＤに対応する位置情報を取得する。ステップＳ１２４において無線制御システム４９は、携帯端末２の現在位置として取得した位置情報を含む位置情報応答を、通信制御装置５１に送信し、ステップＳ１２５において通信制御装置５１は、その位置情報応答を位置情報提供装置５３に送信する。ステップＳ１２６において位置情報提供装置５３は、受信した位置情報応答を、位置情報取得手段１３に送信する。
【００６７】
図１０（ｃ）を参照して、加入者の携帯端末２の位置情報として、無線制御システム４９でＧＰＳ（Global Positioning System）によって測位された位置情報を用いる場合を説明する。ステップＳ１４１において位置情報取得手段１３は、位置情報提供装置５３に、加入者ＩＤを含む位置情報要求を送信する。ステップＳ１４２において位置情報提供装置５３は、通信制御装置５１に、その位置情報要求を送信し、ステップＳ１４３において通信制御装置５１は、無線制御システム４９にその位置情報要求を送信する。
【００６８】
ステップＳ１４４において無線制御システム４９は、加入者ＩＤに対応する携帯端末２より、ＧＰＳで即位された位置情報を取得する。ステップＳ１４５において無線制御システム４９は、携帯端末２の現在位置として取得した位置情報を含む位置情報応答を、通信制御装置５１に送信し、ステップＳ１４６において通信制御装置５１は、その位置情報応答を位置情報提供装置５３に送信する。ステップＳ１４７において位置情報提供装置５３は、受信した位置情報応答を、位置情報取得手段１３に送信する。
【００６９】
図１１を参照して、スケジューリング設定手段１４によるスケジューリング設定処理を説明する。このスケジューリング設定処理は、図９のステップＳ６に対応する。
【００７０】
まずステップＳ２０１においてスケジューリング設定手段１４は、スケジューリング制御データ２１ａの設定情報を取得する。ここで取得する設定情報は、ネットワークサービスの設定情報と、携帯端末の設定情報である。ステップＳ２０２においてスケジューリング設定手段１４は、処理対象の加入者ＩＤとともにステップＳ２０１で取得したネットワークサービスの設定情報含むネットワークサービスの設定リクエストを、加入者情報管理装置５２に送信する。
【００７１】
ステップＳ２０３においてスケジューリング設定手段１４は、ステップＳ２０１で取得した設定情報に、携帯端末２に関する設定情報があるか否かを判定する。携帯端末２に関する設定情報がない場合、このまま処理を終了する。一方携帯端末２に関する設定情報がある場合、ステップＳ２０４に進む。
【００７２】
ステップＳ２０４においてスケジューリング設定手段１４は、スケジューリング制御データ２１ａの携帯端末２の設定が、電源オフの設定であるか否かを判定する。電源オフでない場合、ステップＳ２０８に進む。ステップＳ２０８においてスケジューリング設定手段１４は、スケジューリング制御データ２１ａのこの時刻に対応づけられた携帯端末の設定情報に従って、この加入者の携帯端末２に設定リクエストを送信する。
【００７３】
一方電源オフの設定の場合、ステップＳ２０５においてスケジューリング設定手段１４は、スケジューリング制御データ２１ａの当該加入者のレコードを検索し、次に電源をオンする設定があるか検索する。電源をオンする設定がない場合、ステップＳ２０８においてスケジューリング設定手段１４は、携帯端末２の電源をオフする設定リクエストを、この加入者の携帯端末２に送信する。
【００７４】
電源をオンする設定がある場合、ステップＳ２０６においてスケジューリング設定手段１４は、検索されたレコードの時刻を取得する。ステップＳ２０７においてスケジューリング設定手段１４は、電源をオフするとともに、ステップＳ２０６で取得した時刻に電源をオンするリクエストを、この加入者の携帯端末２に送信する。
【００７５】
図１２を参照して、デフォルト設定手段１５によるデフォルト設定処理を説明する。このデフォルト設定処理は、図９のステップＳ７に対応する。
【００７６】
まずステップＳ３０１においてデフォルト設定手段１５は、デフォルトデータ２２ａの設定情報を取得する。ここで取得する設定情報は、ネットワークサービスの設定情報と、携帯端末の設定情報である。ステップＳ２０３においてデフォルト設定手段１５は、処理対象の加入者ＩＤとともにステップＳ３０１で取得したネットワークサービスの設定情報含むネットワークサービスの設定リクエストを、加入者情報管理装置５２に送信する。
【００７７】
ステップＳ３０３においてデフォルト設定手段１５は、ステップＳ３０１で取得した設定情報に、携帯端末２に関する設定情報があるか否かを判定する。携帯端末２に関する設定情報がない場合、このまま処理を終了する。一方携帯端末２に関する設定情報がある場合、ステップＳ３０４に進む。
【００７８】
ステップＳ３０４においてデフォルト設定手段１５は、デフォルトデータ２２ａの携帯端末２の設定が、電源オフの設定であるか否かを判定する。電源オフでない場合、ステップＳ３０８に進む。ステップＳ３０８においてデフォルト設定手段１５は、デフォルトデータ２２ａでこの加入者ＩＤに対応づけられた携帯端末の設定情報に従って、この加入者の携帯端末２に設定リクエストを送信する。
【００７９】
一方電源オフの設定の場合、ステップＳ３０５においてデフォルト設定手段１５は、スケジューリング制御データ２１ａの当該加入者のレコードを検索し、次に電源をオンする設定があるか検索する。電源をオンする設定がない場合、ステップＳ３０８においてデフォルト設定手段１５は、携帯端末２の電源をオフする設定リクエストを、この加入者の携帯端末２に送信する。
【００８０】
電源をオンする設定がある場合、ステップＳ３０６においてデフォルト設定手段１５は、検索されたレコードの時刻を取得する。ステップＳ３０７においてスケジューリング設定手段１４は、電源をオフするとともに、ステップＳ３０６で取得した時刻に電源をオンするリクエストを、この加入者の携帯端末２に送信する。
【００８１】
図５および図８に示すデータ例を参照して、加入者ＩＤ「ＵＳＥＲ００１」の加入者について、スケジューリング制御手段１２の処理を説明する。スケジューリング制御手段１２は、２０１１年２月１６日の１５時になると、加入者ＩＤ「ＵＳＥＲ００１」のスケジュールＩＤ「１」のレコードに基づいて処理する。スケジュール制御手段１２は、加入者ＩＤ「ＵＳＥＲ００１」の携帯端末２の位置情報を取得する。この取得した位置が、予定位置である「虎ノ門駅」から「１００メートル」以内であるか否かを判定する。
【００８２】
取得した位置が予定位置の範囲内である場合、スケジューリング制御手段１２は、スケジューリング制御データ２１ａのネットワークサービスの設定情報に従って、加入者情報管理装置５２に、加入者ＩＤ「ＵＳＥＲ００１」の加入者について、「留守番電話をＯＮ」に設定するとともに、「呼び出し時間を５秒」とする設定リクエストを送信する。その後加入者情報管理装置５２は、この加入者ＩＤ「ＵＳＥＲ００１」の携帯端末２への通話を受けると、呼び出し時間５秒を経過しても着信しない場合、留守番電話に設定する。
【００８３】
さらにスケジュール制御手段１２は、加入者ＩＤ「ＵＳＥＲ００１」の携帯端末２に、「マナーモード」を「ＯＮ」にする設定リクエストを送信する。その後携帯端末２は、携帯端末２の受信モードをマナーモードに設定し、着電およびメール受信などを、マナーモードの設定に従って、加入者に通知する。
【００８４】
２０１１年２月１６日の１８時になると、スケジューリング制御手段１２は、加入者ＩＤ「ＵＳＥＲ００１」のスケジュールＩＤ「２」のレコードに基づいて処理する。スケジュールＩＤ「２」の様に、予定位置が設定されていない場合、スケジューリング制御データ２１ａは、加入者ＩＤ「ＵＳＥＲ００１」の携帯電話２の位置を取得しない。スケジュールリング制御手段１２は、加入者ＩＤ「ＵＳＥＲ００１」の携帯電話２の位置に関わらず、ネットワークサービスの設定情報を加入者情報管理装置５２に送信するとともに、携帯端末の設定情報を、携帯端末２に送信する。
【００８５】
２０１１年２月１６日の２１時になると、スケジューリング制御手段１２は、加入者ＩＤ「ＵＳＥＲ００１」のスケジュールＩＤ「３」のレコードに基づいて処理する。このスケジュールＩＤ「３」のレコードにおいて、予定位置が設定されている。従ってスケジューリング制御手段１２は、この時刻の携帯端末２の位置が予定位置である場合、スケジューリング制御データ２１ａに従って処理し、予定位置でない場合、デフォルトデータ２２ａに従って処理する。
【００８６】
携帯端末２の位置が予定位置である場合を想定する。スケジューリング制御手段１２は、スケジューリング制御データ２１ａに従って処理するところ、スケジュールＩＤ「３」のレコードにおいて、電源オフの携帯端末の設定情報が含まれている。この場合スケジューリング制御手段１２は、この時刻以降の直近の予定であって、電源をオンするレコードを検索する。図５に示す例では、２０１１年２月１７日の９時に、携帯端末の端末設定で電源オンすることが設定されている。そこでスケジューリング制御装置１２は、加入者ＩＤ「ＵＳＥＲ００１」の携帯端末２に、電源オフするとともに、２０１１年２月１７日の９時に電源をオンにする設定リクエストを送信する。
【００８７】
このように本発明の実施の形態に係るスケジューリング制御装置１は、予め加入者が設定したネットワークサービスおよび携帯端末２の設定に従って、ネットワークサービスおよび携帯端末２の設定を適宜変更することができる。特に本発明の実施の形態においては、予め時刻、場所およびそのときのネットワークサービスおよび携帯端末２の設定を保持する。ここで、時刻およびその時刻における携帯端末２の場所が予定と一致する場合、予め保持したネットワークサービスおよび携帯端末２の設定に変更することができる。
【００８８】
これにより会議の間、自動的に留守番電話機能を設定したり、映画館への入館時に携帯端末２の電源をオフするなど、その予定にあった設定が、自動的に設定される。これにより、加入者は場面に応じた携帯端末２の設定を考慮しなくとも、その場面に応じて適切な設定で携帯端末２を利用することができる。
【００８９】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００９０】
例えば、本発明の最良の実施の形態に記載したスケジューリング制御装置は、図４に示すように一つのハードウェア上に構成されても良いし、その機能や処理数に応じて複数のハードウェア上に構成されても良い。また、既存の加入者情報管理装置５２などの装置上に実現されても良い。
【００９１】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００９２】
１  スケジューリング制御装置
２  携帯端末
３  ユーザ端末
５  スケジューリング制御システム
１１  スケジューリング取得手段
１２  スケジューリング制御手段
１３  位置情報取得手段
１４  スケジューリング設定手段
１５  デフォルト設定手段
２１  スケジューリング制御データ記憶部
２２  デフォルトデータ記憶部
４９  無線通信システム
５１  通信制御装置
５２  加入者情報管理装置
５３  位置情報提供装置
６０  通信ネットワーク
６１  スケジュール管理装置
１０１  中央処理制御装置
１０２  ＲＯＭ
１０３  ＲＡＭ
１０４  入力装置
１０５  表示装置
１０６  通信制御装置
１０７  記憶装置
１０８  リムーバブルディスク
１０９  入出力インタフェース
１１０  バス
【図１】
2015092712.tif 000003
【図２】
2015092712.tif 000004
【図３】
2015092712.tif 000005
【図４】
2015092712.tif 000006
【図５】
2015092712.tif 000007
【図６】
2015092712.tif 000008
【図７】
2015092712.tif 000009
【図８】
2015092712.tif 000010
【図９】
2015092712.tif 000011
【図１０】
2015092712.tif 000012
【図１１】
2015092712.tif 000013
【図１２】
2015092712.tif 000014
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
加入者情報管理装置と、前記加入者情報管理装置によって管理され、加入者が利用する携帯端末と、前記加入者情報管理装置および前記携帯端末に接続されるスケジューリング制御装置と、を備えるスケジューリング制御システムに用いられるスケジューリング制御装置であって、
加入者のスケジュールであって、時刻、当該時刻における前記加入者の予定位置情報および当該時刻における前記加入者の携帯端末の設定情報を関連づけたスケジューリング制御データを記憶するスケジューリング制御データ記憶部と、
加入者のデフォルトの携帯端末の設定情報を含むデフォルトデータが記憶されたデフォルトデータ記憶部と、
前記スケジューリング制御データに含まれる前記時刻になると、前記加入者の携帯端末の位置情報を取得するとともに、前記スケジューリング制御データの当該時刻における前記予定位置情報を取得し、前記携帯端末の位置情報および前記予定位置情報が一致する場合、当該時刻に関連づけられた前記携帯端末の設定情報に従って、前記携帯端末に設定リクエストを送信するスケジューリング制御手段
を備え、
前記スケジューリング制御手段は、前記携帯端末の位置情報および前記予定位置情報が一致しない場合、前記デフォルトの携帯端末の設定情報に従って、前記携帯端末に設定リクエストを送信する
ことを特徴とするスケジューリング制御装置。
【請求項２】
前記携帯端末の設定情報が、前記加入者の携帯端末の電源オフの場合、
前記スケジューリング制御手段は、前記スケジューリング制御データの前記加入者のスケジュールを検索して、当該時刻以降の直近の時刻であって、電源オンの前記携帯端末の設定情報に関連づけられた時刻を抽出し、
前記携帯端末の前記設定リクエストに、抽出した前記時刻に電源をオンにする設定情報を含めて、前記携帯端末に送信する
ことを特徴とする請求項１に記載のスケジューリング制御装置。
【請求項３】
加入者情報管理装置と、前記加入者情報管理装置によって管理され、加入者が利用する携帯端末と、前記加入者情報管理装置および前記携帯端末に接続されるスケジューリング制御装置と、を備えるスケジューリング制御システムに用いられるスケジューリング制御装置であって、
加入者のスケジュールであって、時刻、当該時刻における前記加入者の予定位置情報および当該時刻における前記加入者の携帯端末の設定情報を関連づけたスケジューリング制御データを記憶するスケジューリング制御データ記憶部と、
前記スケジューリング制御データに含まれる前記時刻になると、前記加入者の携帯端末の位置情報を取得するとともに、前記スケジューリング制御データの当該時刻における前記予定位置情報を取得し、前記携帯端末の位置情報および前記予定位置情報が一致する場合、当該時刻に関連づけられた前記携帯端末の設定情報に従って、前記携帯端末に設定リクエストを送信するスケジューリング制御手段
を備え、
前記携帯端末の設定情報が、前記加入者の携帯端末の電源オフの場合、
前記スケジューリング制御手段は、前記スケジューリング制御データの前記加入者のスケジュールを検索して、当該時刻以降の直近の時刻であって、電源オンの前記携帯端末の設定情報に関連づけられた時刻を抽出し、
前記携帯端末の前記設定リクエストに、抽出した前記時刻に電源をオンにする設定情報を含めて、前記携帯端末に送信する
ことを特徴とするスケジューリング制御装置。
【請求項４】
加入者情報管理装置と、前記加入者情報管理装置によって管理され、加入者が利用する携帯端末と、前記加入者情報管理装置および前記携帯端末に接続されるスケジューリング制御装置と、を備えるスケジューリング制御システムのスケジューリング制御装置に用いられるスケジューリング制御プログラムであって、
コンピュータを、
加入者のスケジュールであって、時刻、当該時刻における前記加入者の予定位置情報および当該時刻における前記加入者の携帯端末の設定情報を関連づけたスケジューリング制御データに含まれる前記時刻になると、前記加入者の携帯端末の位置情報を取得するとともに、前記スケジューリング制御データの当該時刻における前記予定位置情報を取得し、前記携帯端末の位置情報および前記予定位置情報が一致する場合、当該時刻に関連づけられた前記携帯端末の設定情報に従って、前記携帯端末に設定リクエストを送信するスケジューリング制御手段
として機能させ、
前記スケジューリング制御手段は、前記携帯端末の位置情報および前記予定位置情報が一致しない場合、デフォルトの携帯端末の設定情報に従って、前記携帯端末に設定リクエストを送信する
ことを特徴とするスケジューリング制御プログラム。
【請求項５】
前記携帯端末の設定情報が、前記加入者の携帯端末の電源オフの場合、
前記スケジューリング制御手段は、前記スケジューリング制御データの前記加入者のスケジュールを検索して、当該時刻以降の直近の時刻であって、電源オンの前記携帯端末の設定情報に関連づけられた時刻を抽出し、
前記携帯端末の前記設定リクエストに、抽出した前記時刻に電源をオンにする設定情報を含めて、前記携帯端末に送信する
ことを特徴とする請求項４に記載のスケジューリング制御プログラム。
【請求項６】
加入者情報管理装置と、前記加入者情報管理装置によって管理され、加入者が利用する携帯端末と、前記加入者情報管理装置および前記携帯端末に接続されるスケジューリング制御装置と、を備えるスケジューリング制御システムのスケジューリング制御装置に用いられるスケジューリング制御プログラムであって、
コンピュータを、
加入者のスケジュールであって、時刻、当該時刻における前記加入者の予定位置情報および当該時刻における前記加入者の携帯端末の設定情報を関連づけたスケジューリング制御データに含まれる前記時刻になると、前記加入者の携帯端末の位置情報を取得するとともに、前記スケジューリング制御データの当該時刻における前記予定位置情報を取得し、前記携帯端末の位置情報および前記予定位置情報が一致する場合、当該時刻に関連づけられた前記携帯端末の設定情報に従って、前記携帯端末に設定リクエストを送信するスケジューリング制御手段
として機能させ、
前記携帯端末の設定情報が、前記加入者の携帯端末の電源オフの場合、
前記スケジューリング制御手段は、前記スケジューリング制御データの前記加入者のスケジュールを検索して、当該時刻以降の直近の時刻であって、電源オンの前記携帯端末の設定情報に関連づけられた時刻を抽出し、
前記携帯端末の前記設定リクエストに、抽出した前記時刻に電源をオンにする設定情報を含めて、前記携帯端末に送信する
ことを特徴とするスケジューリング制御プログラム。
【手続補正２】
【補正対象書類名】明細書
【補正対象項目名】０００８
【補正方法】変更
【補正の内容】
【０００８】
上記課題を解決するために、本発明の第１の特徴は、加入者情報管理装置と、加入者情報管理装置によって管理され、加入者が利用する携帯端末と、加入者情報管理装置および携帯端末に接続されるスケジューリング制御装置と、を備えるスケジューリング制御システムに用いられるスケジューリング制御装置に関する。すなわち本発明の第１の特徴に係るスケジューリング制御装置は、加入者のスケジュールであって、時刻、当該時刻における加入者の予定位置情報および当該時刻における携帯端末の設定情報を関連づけたスケジューリング制御データを記憶するスケジューリング制御データ記憶部と、加入者のデフォルトの携帯端末の設定情報を含むデフォルトデータが記憶されたデフォルトデータ記憶部と、スケジューリング制御データに含まれる時刻になると、加入者の携帯端末の位置情報を取得するとともに、スケジューリング制御データの当該時刻における予定位置情報を取得し、携帯端末の位置情報および予定位置情報が一致する場合、当該時刻に関連づけられた携帯端末の設定情報に従って、携帯端末に設定リクエストを送信するスケジューリング制御手段を備え、スケジューリング制御手段は、携帯端末の位置情報および予定位置情報が一致しない場合、デフォルトの携帯端末の設定情報に従って、携帯端末に設定リクエストを送信する。
【手続補正３】
【補正対象書類名】明細書
【補正対象項目名】０００９
【補正方法】変更
【補正の内容】
【０００９】
ここで、携帯端末の設定情報が、加入者の携帯端末の電源オフの場合、スケジューリング制御手段は、スケジューリング制御データの加入者のスケジュールを検索して、当該時刻以降の直近の時刻であって、電源オンの携帯端末の設定情報に関連づけられた時刻を抽出し、携帯端末の設定リクエストに、抽出した時刻に電源をオンにする設定情報を含めて、携帯端末に送信しても良い。
【手続補正４】
【補正対象書類名】明細書
【補正対象項目名】００１０
【補正方法】変更
【補正の内容】
【００１０】
本発明の第２の特徴は、加入者情報管理装置と、加入者情報管理装置によって管理され、加入者が利用する携帯端末と、加入者情報管理装置および携帯端末に接続されるスケジューリング制御装置と、を備えるスケジューリング制御システムに用いられるスケジューリング制御装置に関する。すなわち本発明の第２の特徴に係るスケジューリング制御装置は、加入者のスケジュールであって、時刻、当該時刻における加入者の予定位置情報および当該時刻における加入者の携帯端末の設定情報を関連づけたスケジューリング制御データを記憶するスケジューリング制御データ記憶部と、スケジューリング制御データに含まれる時刻になると、加入者の携帯端末の位置情報を取得するとともに、スケジューリング制御データの当該時刻における予定位置情報を取得し、携帯端末の位置情報および予定位置情報が一致する場合、当該時刻に関連づけられた携帯端末の設定情報に従って、携帯端末に設定リクエストを送信するスケジューリング制御手段を備え、携帯端末の設定情報が、加入者の携帯端末の電源オフの場合、スケジューリング制御手段は、スケジューリング制御データの加入者のスケジュールを検索して、当該時刻以降の直近の時刻であって、電源オンの携帯端末の設定情報に関連づけられた時刻を抽出し、携帯端末の設定リクエストに、抽出した時刻に電源をオンにする設定情報を含めて、携帯端末に送信する。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明の第３の特徴は、加入者情報管理装置と、加入者情報管理装置によって管理され、加入者が利用する携帯端末と、加入者情報管理装置および携帯端末に接続されるスケジューリング制御装置と、を備えるスケジューリング制御システムのスケジューリング制御装置に用いられるスケジューリング制御プログラムに関する。すなわち本発明の第３の特徴に係るスケジューリング制御プログラムは、コンピュータを、加入者のスケジュールであって、時刻、当該時刻における加入者の予定位置情報および当該時刻における加入者の携帯端末の設定情報を関連づけたスケジューリング制御データに含まれる時刻になると、加入者の携帯端末の位置情報を取得するとともに、スケジューリング制御データの当該時刻における予定位置情報を取得し、携帯端末の位置情報および予定位置情報が一致する場合、当該時刻に関連づけられた携帯端末の設定情報に従って、携帯端末に設定リクエストを送信するスケジューリング制御手段として機能させ、スケジューリング制御手段は、携帯端末の位置情報および予定位置情報が一致しない場合、デフォルトの携帯端末の設定情報に従って、携帯端末に設定リクエストを送信する。
【手続補正８】
【補正対象書類名】明細書
【補正対象項目名】００１４
【補正方法】変更
【補正の内容】
【００１４】
携帯端末の設定情報が、加入者の携帯端末の電源オフの場合、スケジューリング制御手段は、スケジューリング制御データの加入者のスケジュールを検索して、当該時刻以降の直近の時刻であって、電源オンの携帯端末の設定情報に関連づけられた時刻を抽出し、携帯端末の設定リクエストに、抽出した時刻に電源をオンにする設定情報を含めて、携帯端末に送信しても良い。
【手続補正９】
【補正対象書類名】明細書
【補正対象項目名】００１５
【補正方法】変更
【補正の内容】
【００１５】
本発明の第４の特徴は、加入者情報管理装置と、加入者情報管理装置によって管理され、加入者が利用する携帯端末と、加入者情報管理装置および携帯端末に接続されるスケジューリング制御装置と、を備えるスケジューリング制御システムのスケジューリング制御装置に用いられるスケジューリング制御プログラムに関する。すなわち本発明の第４の特徴に係るスケジューリング制御プログラムは、コンピュータを、加入者のスケジュールであって、時刻、当該時刻における加入者の予定位置情報および当該時刻における加入者の携帯端末の設定情報を関連づけたスケジューリング制御データに含まれる時刻になると、加入者の携帯端末の位置情報を取得するとともに、スケジューリング制御データの当該時刻における予定位置情報を取得し、携帯端末の位置情報および予定位置情報が一致する場合、当該時刻に関連づけられた携帯端末の設定情報に従って、携帯端末に設定リクエストを送信するスケジューリング制御手段として機能させ、携帯端末の設定情報が、加入者の携帯端末の電源オフの場合、スケジューリング制御手段は、スケジューリング制御データの加入者のスケジュールを検索して、当該時刻以降の直近の時刻であって、電源オンの携帯端末の設定情報に関連づけられた時刻を抽出し、携帯端末の設定リクエストに、抽出した時刻に電源をオンにする設定情報を含めて、携帯端末に送信する。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】